(57)【要約】【課題】定着制御に用いるデータ量を低減させることが可能な画像形成装置及び定着制御データ生成方法を提供することを目的としている。【解決手段】画像データに基づき発光素子を点灯させて像担持体へ画像の書き込む書き込み制御部と、前記書き込み制御部により前記像担持体に書き込まれた前記画像の静電潜像に付着したトナーを記録媒体へ定着させる定着部と、を有する画像形成装置であって、前記書き込み制御部は、前記定着部による定着を制御する定着制御データを生成する定着制御データ生成部を有し、前記定着制御データ生成部は、前記発光素子の点灯を制御する書き込み制御データを用いて、前記書き込み制御データよりもデータ容量の小さい定着制御データを生成する。【選択図】図８
2013254110.tif 000002
【特許請求の範囲】
【請求項１】
画像データに基づき発光素子を点灯させて像担持体へ画像の書き込む書き込み制御部と、前記書き込み制御部により前記像担持体に書き込まれた前記画像の静電潜像に付着したトナーを記録媒体へ定着させる定着部と、を有する画像形成装置であって、
前記書き込み制御部は、
前記定着部による定着を制御する定着制御データを生成する定着制御データ生成部を有し、
前記定着制御データ生成部は、
前記発光素子の点灯を制御する書き込み制御データを用いて、前記書き込み制御データよりもデータ容量の小さい定着制御データを生成する画像形成装置。
【請求項２】
前記定着制御データ生成部は、
前記画像データにおいて予め設定された所定エリア毎のトナー付着量を所定ビットで示した情報を定着制御データとする請求項１記載の画像形成装置。
【請求項３】
前記書き込み制御部は、
前記画像データにおける画素をカウントし、前記画素の前記発光素子の点灯強度を示す値を前記点灯強度を示す値と対応したトナー付着量を示す値に変換する画素カウント部を有する請求項２記載の画像形成装置。
【請求項４】
前記定着制御データ生成部は、
前記画像データにおける前記所定エリアを判別するエリア判別部と、
前記所定エリア内に存在する全ての前記画素に対応する前記トナー付着量を示す値を積算し、積算した値を所定ビットの値とするデータ削減部と、を有する請求項３記載の画像形成装置。
【請求項５】
前記所定エリアは、前記書き込み制御部による書き込みの解像度により決定される請求項２乃至４の何れか一項に記載の画像形成装置。
【請求項６】
画像データに基づき発光素子を点灯させて像担持体へ画像の書き込む書き込み制御部と、前記書き込み制御部により前記像担持体に書き込まれた前記画像の静電潜像に付着したトナーを記録媒体へ定着させる定着部と、を有する画像形成装置による定着制御データ作成方法であって、
前記書き込み制御部による、
前記定着部による定着を制御する定着制御データを生成する定着制御データ生成手順を有し、
前記定着制御データ生成手順において、
前記発光素子の点灯を制御する書き込み制御データを用いて、前記書き込み制御データよりもデータ容量の小さい定着制御データを生成する定着制御データ生成方法。
【発明の詳細な説明】
【技術分野】
【０００１】
本発明は、書き込み制御部により像担持体に書き込まれた静電潜像に付着したトナーを記録媒体へ定着させる画像形成装置及びこの画像形成装置による定着制御データ生成方法に関する。
【背景技術】
【０００２】
従来の画像形成装置では、熱応答性の良いサーマルヘッドやレーザ光線等を用いた定着装置を備えたものがある。定着装置を備える画像形成装置の中には、例えば特許文献１に記載されているように、デジタルの画像データに基づいて、記録紙上のトナーが乗っている所のみ、あるいはその近傍のみを選択的に加熱して未定着トナーを定着させる画像形成装置が知られている。
【発明の概要】
【発明が解決しようとする課題】
【０００３】
上記特許文献１記載の技術では、デジタルの画像データに基づく書き込み制御データを定着制御にも用いるため、データ量が大きくその取り扱いが困難である。
【０００４】
本発明は、上記事情を鑑みてこれを解決すべく成されたものであり、定着制御に用いるデータ量を低減させることが可能な画像形成装置及び定着制御データ生成方法を提供することを目的としている。
【課題を解決するための手段】
【０００５】
本発明は、上記目的を達成すべく、以下の如き構成を採用した。
【０００６】
本発明は、画像データに基づき発光素子を点灯させて像担持体へ画像の書き込む書き込み制御部と、前記書き込み制御部により前記像担持体に書き込まれた前記画像の静電潜像に付着したトナーを記録媒体へ定着させる定着部と、を有する画像形成装置であって、前記書き込み制御部は、前記定着部による定着を制御する定着制御データを生成する定着制御データ生成部を有し、前記定着制御データ生成部は、前記発光素子の点灯を制御する書き込み制御データを用いて、前記書き込み制御データよりもデータ容量の小さい定着制御データを生成する
【発明の効果】
【０００７】
本発明によれば、定着制御に用いるデータ量を低減させることができる。
【図面の簡単な説明】
【０００８】
【図１】本実施形態の画像形成装置の構成の概略を示す図である。
【図２】本実施形態の画像形成装置の書き込み装置と定着装置を説明する図である。
【図３】本実施形態の単位エリアを説明する図である。
【図４】本実施形態の画素カウント部の機能構成を説明する図である。
【図５】本実施形態におけるルックアップテーブルの例を示す図である。
【図６】本実施形態の定着制御データ生成部の機能構成を示す図である。
【図７】本実施形態の書き込み制御部の動作を説明するフローチャートである。
【図８】主走査方向と単位エリアとの関係を説明する図である。
【図９】本実施形態の書き込み制御部の動作を説明する第二のフローチャートである。
【発明を実施するための形態】
【０００９】
本発明では、画像形成の際の書き込み制御データの生成に用いる画像データを所定エリアに分割し、所定エリア毎のトナー付着量を所定ビットで示した情報を定着制御データとすることで、定着制御データのデータ量を低減させる。
【００１０】
（実施形態）
以下に図面を参照して本発明の実施形態について説明する。図１は、本実施形態の画像形成装置の構成の概略を示す図である。
【００１１】
本実施形態の画像形成装置１００は、スキャナ部１１０と、プリンタ部１２０とを有する。本実施形態の画像形成装置１００においてスキャナ部１１０は、読み取った原稿（図示せず）の反射光を電気信号に変換し、さらにそのアナログ電気信号をデジタル画像信号に変換してプリンタ部１２０に出力する。プリンタ部１２０は、スキャナ部１１０から入力された画像データ、又は画像形成装置１００と接続されたコンピュータ等から送信された画像データに基づき画像形成動作を行なう。
【００１２】
本実施形態のプリンタ部１２０は、感光体ドラム１２１、帯電器１２２、書き込み装置１２３、現像装置１２４、給紙装置１２５、転写装置１２６、分離装置１２７、定着装置１２８等を有する。
【００１３】
本実施形態において、感光体ドラム１２１は帯電器１２２により均一に帯電される。画像形成装置１００に入力された画像データは、画像処理部（図示せず）で各種補正、各種変換・変倍等の処理がされた後に書き込み装置１２３に入力される。書き込み装置１２３は、入力された画像データに基づいてレーザ光を感光体ドラム１２１に照射する。感光体ドラム１２１上に形成された静電潜像は現像装置１２５により加熱溶融性のトナーにより現像され可視像化される。一方、給紙装置１２５から記録紙（図示せず）が給紙ローラ１３１により給紙され、搬送ローラ１３２を介してレジストローラ１３３へ搬送される。レジストローラ１３３は感光体ドラム１２１上のトナー像に同期して記録紙を送出する。この記録紙に、転写装置１２６の作用により感光体ドラム１２１上のトナー像が転写される。
【００１４】
そして、分離装置１２７の作用により記録紙が感光体ドラム１２１から分離され、搬送ガイド１３４に案内されて定着装置１２８に導かれる。記録紙上の未定着トナー像が定着装置１２８により加熱定着され、記録紙は排紙ローラ１３５により機外に排出される。また、感光体ドラム１２１は記録紙の分離後にクリーニング装置１３６により残留トナーが除去され、除電器１３７により残留電荷が消去される。
【００１５】
本実施形態の画像形成装置１００では、書き込み装置１２３に入力される画像データを用いて、定着装置１２８における定着制御を行う。
【００１６】
図２は、本実施形態の画像形成装置の書き込み装置と定着装置を説明する図である。
【００１７】
本実施形態の書き込み装置１２３と定着装置１２８とは、例えばデータバスＢ等により接続されている。
【００１８】
本実施形態の書き込み装置１２３は、書き込み制御部１４０と、ＬＤ（Laser Diode）駆動部１４１と、発光素子であるＬＤ１４２とを有する。本実施形態の書き込み装置１２３には、画像形成装置１００に入力されて画像処理部による画像処理が施された画像データが入力される。
【００１９】
書き込み装置１２３は、書き込み制御部１４０により入力された画像データからＬＤ１４２の点灯制御を行う書き込み制御データを生成し、ＬＤ駆動部１４１へ出力する。ＬＤ駆動部１４１は、書き込み制御データにしたがってＬＤ１４２の点灯をオン／オフさせる。本実施形態の書き込み制御データとは、各画素毎のＬＤ１４２の点灯強度を示す値である。以下の説明では、画素毎のＬＤ１４２の点灯強度を示す値を書き込み値と呼ぶ。
【００２０】
本実施形態の書き込み制御部１４０は、画素カウント部１５０、定着制御データ生成部１６０、メモリ１６５を有する。本実施形態の画素カウント部１５０は、画像データに基づき作像される画素数をカウントする。また本実施形態の画素カウント部１５０は、各画素毎の書き込み値を対応するトナー付着量相当値に変換する。画素カウント部１５０の処理とトナー付着量相当値の詳細は後述する。
【００２１】
本実施形態の定着制御データ生成部１６０は、後述する単位エリア内のトナー付着量相当値に基づき、書き込み制御データよりもデータ容量の小さい定着制御データを生成する。本実施形態のメモリ１６５は、定着制御データを生成する際の計算値等を一時的に格納する。
【００２２】
本実施形態の画素カウント部１５０と定着制御データ生成部１６０の詳細は後述する。
【００２３】
本実施形態の定着装置１２８は、定着制御部１７０、サーマルヘッド駆動部１７１、サーマルヘッド１７２を有する。
【００２４】
本実施形態の定着制御部１７０は、サーマルヘッド駆動部１７１に対して駆動信号を供給し、サーマルヘッド１７２に駆動信号に対応した電圧を生成させる。サーマルヘッド駆動部１７１は、駆動信号にしたがってサーマルヘッド１７２へ電圧を供給する。サーマルヘッド１７２は、複数の発熱体を有し、実際の定着を行う発熱体である。
【００２５】
本実施形態の定着制御部１７０は、バッファメモリ１８０と駆動信号生成部１８１とを有する。本実施形態のバッファメモリ１８０は、書き込み制御部１４０から送信される定着制御データを格納する。駆動信号生成部１８１は、定着制御データに基づき駆動信号を生成する。定着装置１２８の動作の詳細は後述する。
【００２６】
以下に本実施形態の定着制御データ生成部１６０による定着制御データの生成について説明する。
【００２７】
本実施形態では、画像データにおいて複数の画素を含む単位エリアを設定し、単位エリア毎のトナー付着量を所定ビットのデータとしたものを定着制御データとする。
【００２８】
図３は、本実施形態の単位エリアを説明する図である。
【００２９】
本実施形態では、例えば画像データにおいて１つのサーマルヘッド１７２により加熱されると想定される領域をエリア３０とする。そして本実施形態では、このエリア３０を主走査方向にＮドットずつ分割し、エリア３０の副走査方向をＭラインずつ分割したときのＮドット×Ｍラインを単位エリアＳとする。本実施形態のＭとＮは、予め設定された値であり、設定部１６５に格納されている。本実施形態では、例えばエリア３０の大きさや加熱の制御が可能な最小単位により予め決められる。
【００３０】
本実施形態では、単位エリアＳ毎のトナー付着量相当値を予め設定された所定のビット数とし、この所定のビット数のデータを定着制御データとする。
【００３１】
以下に図４を参照して本実施形態の画素カウント部１５０について説明する。図４は、本実施形態の画素カウント部の機能構成を説明する図である。本実施形態の画素カウント部１５０は、トナー付着量変換部１５１と、ルックアップテーブル格納部１５２とを有し、画像データにおける画素数をトナー付着量に相当するデジタル値に変換する。本実施形態では、このデジタル値をトナー付着量相当値とした。
【００３２】
本実施形態のトナー付着量変換部１５１は、単位エリアＳ毎に各画素の書き込み値をトナー付着量相当値に変換する。具体的には本実施形態のトナー付着量変換部１５１は、ルックアップテーブル格納部１５２に格納されたルックアップテーブルを参照し、書き込み値と対応したトナー付着量相当値を取得する。また本実施形態のトナー付着量変換部１５１は、画素毎のトナー付着量相当値を取得する度に、取得したトナー付着量相当値を積算する。
【００３３】
本実施形態のルックアップテーブル格納部１５２は、後述するルックアップテーブル５０が格納される記憶領域である。
【００３４】
図５は、本実施形態におけるルックアップテーブルの例を示す図である。本実施形態のルックアップテーブル５０は、書き込み値とトナー付着量相当値とが対応付けられて格納されている。図５の例では、１画素のデータ量を４ビットとし、トナー付着量相当値も４ビットのデータとした。本実施形態のルックアップテーブル５０によれば、トナー付着量変換部１５１により例えば書き込み値２がトナー付着量相当値３に変換される。本実施形態のトナー付着量変換部１５１は、単位エリアＳ毎に画素カウント部１５０がカウントした全ての画素について書き込み値をトナー付着量相当値へ変換する。
【００３５】
次に図６を参照して定着制御データ生成部１６０について説明する。図６は、本実施形態の定着制御データ生成部の機能構成を示す図である。
【００３６】
本実施形態の定着制御データ生成部１６０は、エリア判別部１６１、データ削減部１６２、設定部１６３を有する。
【００３７】
本実施形態のエリア判別部１６１は、画素カウント部１５０においてカウントされた画素数から、単位エリアＳの判別を行う。本実施形態のエリア判別部１６２は、例えばエリア３０において、主走査方向にＮドット分ずつ主走査の幅までカウントされ、且つ副走査方向にＭライン分までカウントされると、Ｎドット×Ｍラインの単位エリアＳを判別する。
【００３８】
本実施形態のデータ削減部１６２は、単位エリアＳの全ての書き込み値に対応したトナー付着量相当値の積算を所定ビットの定着制御データとする。データ削減部１６２による定着制御データの生成の詳細は後述する。
【００３９】
本実施形態の設定部１６３は、定着制御データの生成において必要となる設定値が格納される記憶領域である。具体的には例えば、設定部１６３には、単位エリアを決定するＮの値とＭの値と、定着制御データのビット数等が設定値として予め格納されていても良い。
【００４０】
以下に図７乃至図９を参照して本実施形態の書き込み制御部１４０の動作を説明する。図７は、本実施形態の書き込み制御部の動作を説明する第一のフローチャートである。図７では、画素カウント部１５０の動作を説明している。
【００４１】
本実施形態の書き込み制御部１４０において画像データの取得が開始されると（ステップＳ７０１）、画素カウント部１５０においてトナー付着量変換部１５１は、画像データの各画素の書き込み値を、ルックアップテーブル５０を参照してトナー付着量相当値に変換する（ステップＳ７０２）。続いて画素カウント部１５０は各画素数をカウントする（ステップＳ７０３）。ここで本実施形態の画素カウント部１５０は、各画素のトナー付着量相当値を積算し、積算値７０をメモリ１６５へ格納する。
【００４２】
次に本実施形態の定着制御データ生成部１６０において、画素カウント部１５０は主走査分の画素数をカウントしたか否かを判断する（ステップＳ７０４）。
ステップＳ７０４において主走査分の画素のカウントが完了した場合、画素カウント部１５０は、後述するステップＳ７０８へ進む。ステップＳ７０４において主走査分の画素のカウントが完了していない場合、画素カウント部１５０は、主走査方向にＮドット分カウントしたか否かを判断する（ステップＳ７０５）。
【００４３】
ステップＳ７０５においてＮドット分カウントした場合、画素カウント部１５０は、画素カウント部１５０の有する図示しないカウンタを次の単位エリアＳの主走査方向のカウントを行うために、カウント値を切り替える（ステップＳ７０６）。
【００４４】
ここで図８を参照して主走査方向と単位エリアＳとの関係を説明する。図８は、主走査方向と単位エリアとの関係を説明する図である。
【００４５】
本実施形態の単位エリアＳは、主走査方向にＮドット、副走査方向にＭラインの領域である。本実施形態では、Ｎドットは画像データの主走査幅を所定値で分割したものである。本実施形態では、例えば単位エリアＳが２ｍｍ×２ｍｍの領域となるように、ＮとＭの値を決定した。
【００４６】
図７に戻って、ステップＳ７０６に続いて画素カウント部１５０は、次の画素が存在するか否かを判断する（ステップＳ７０７）。ステップＳ７０７において次の画素が存在する場合、画素カウント部１５０はステップＳ７０２へ戻る。ステップＳ７０７において次の画素が存在しない場合、書き込み制御部１４０は画像データの取得が終了したものとして処理を終了する。
【００４７】
ステップＳ７０４において、主走査分カウントした場合、画素カウント部１５０は、Ｍライン分の画素のカウントが完了したか否かを判断する（ステップＳ７０８）。ステップＳ７０８においてＭライン分カウントが完了した場合、画素カウント部１５０は、定着制御データ生成部１６０に対して定着制御データの生成を開始させ、後述するステップＳ７１０へ戻る（ステップＳ７０９）。
【００４８】
ステップＳ７０８においてＭライン分カウントが完了していない場合、画素カウント部１５０は、カウンタの値を副走査方向に次のＭラインをカウントするために、カウント値を切り替え（ステップＳ７１０）、ステップＳ７０７へ進む。
【００４９】
次に図９を参照して本実施形態の定着制御データ生成部１６０の動作を説明する。図９は、本実施形態の書き込み制御部の動作を説明する第二のフローチャートである。図９では、定着制御データ生成部１６０の動作を説明している。
【００５０】
本実施形態の定着制御データ生成部１６０は、画素カウント部１５０においてＭライン分の画素のカウントが完了し、定着制御データの生成開始指示がなされると、定着制御データの生成を開始する（ステップＳ９０１）。
【００５１】
定着制御データ生成部１６０は、単位エリアＳ毎に、画素カウント部１５０によりメモリ１６５に格納された単位エリアＳ内のトナー付着量相当値の積算値７０を参照し、データ削減部１６２によりトナー付着量相当値の積算値７０を所定ビット数の定着制御データとする（ステップＳ９０２）。
【００５２】
本実施形態のデータ削減部１６２は、例えば単位エリアＳ内における全ての画素に対応したトナー付着量相当値の積算値７０の上位８ビットを定着制御データとしても良い。また本実施形態のデータ削減部１６２は、トナー付着量相当値の積算値７０の上位７ビットと、トナー付着量相当値の積算値７０の上位７ビット以外の値のＯＲを取った結果を示す１ビットとの８ビットのデータを定着制御データとしても良い。
【００５３】
続いて本実施形態の定着制御データ生成部１６０は、定着装置１２８へ定着制御データを送信する（ステップＳ９０３）。本実施形態の定着制御データ生成部１６０は、この処理をカウント値がＮとなるまで繰り返し（ステップＳ９０４）、処理を終了する。
【００５４】
このように本実施形態の書き込み制御部１４０では、画素カウント部１５０により副走査方向へＭライン分のカウントが終了する度に、定着制御データ生成部１６０により単位エリアＳ毎の定着制御データが生成されて定着装置１２８へ送信される。すなわち本実施形態の書き込み制御部１４０は、画像データの取得及び画素のカウントと並行して定着制御データを生成し、定着装置１２８へ送信する。
【００５５】
本実施形態の書き込み制御データは、画像データの各画素毎のＬＤ１４２の点灯強度を示すデータである。例えば単位エリアＳ内では、書き込み制御データは単位エリアＳ内の画素毎に生成される。よって書き込み制御データのデータ量は非常に大きいものとなる。これに対して本実施形態の定着制御データは、画素毎のトナー付着量相当値のから生成した所定ビットのデータであり、単位エリアＳ毎に生成されるデータである。したがって本実施形態の定着制御データは、書き込み制御データよりもデータ容量が小さくなる。
【００５６】
尚本実施形態では、定着制御データを８ビットのデータとしたが、これに限定されない。定着制御データのビット数は、画像形成装置１００の仕様等に合わせて設定されていても良く、定着制御データは定着制御に必要な情報量であれば良い。例えば定着制御に画像の有無のみが必要である場合には、定着制御データは２階調（1bit）のデータとしても良い。
【００５７】
また以下に、書き込み装置１２３から定着装置１２８まで定着制御データを１秒間で伝送しようとした場合について説明する。
【００５８】
例えば本実施形態のサーマルヘッド１７２の全幅が１３インチ、画像の解像度が主走査、副走査とも600dpi、１ドットのデータ量が4bit、感光体の線速が２５４mm/secの場合について考える。この場合、画像データにおける画素数に対応した書き込み制御データを定着制御データとして定着装置１２８へ１秒間で伝送するためには、１３インチ×600dpi×600dpi÷25.4mm/inch×4bit×254mm/sec＝187.2Mbpsとなり、180Mbps以上の伝送速度が必要となる。
【００５９】
これに対し、本実施形態においてサーマルヘッド１７２において加熱の制御が可能な最小単位が主走査、副走査とも２ｍｍ程度とした場合、Ｎ，Ｍの値はそれぞれ「４８」程度となる。例えば本実施形態において、定着制御データを８ビットとした場合（定着制御に必要な階調が２５６階調）、定着制御データを定着装置１２８へ１秒間で伝送するためには、187.2Mbps÷48÷48÷4bit×8bit＝162.5Kbpsとなり、200Kbps以下の伝送速度で済む。
【００６０】
これはすなわち、本実施形態の定着制御データの方が画素数と対応した書き込み制御データよりもデータ量が小さいことを示している。
【００６１】
本実施形態では、以上に説明したように、定着制御データのデータ容量を低減させるため、例えば取り扱いの容易な伝送手段を用いることが可能となる。
【００６２】
また本実施形態では、定着制御データの容量が減るため、画像が形成されてから定着されるまでのタイミング調整用のバッファメモリ１８０も小さくすることができる。さらに本実施形態では、定着制御部１７０での処理の負担を軽減することができ、定着制御部１７０の処理能力も高いものが必要ではなくなる。
【００６３】
また本実施形態では、定着制御データの容量を低減して書き込み装置１２３から定着装置１２８までの伝送速度を遅くしたため、書き込み制御部１４０と定着制御部１７０の分離が容易になり、機能の配置の自由度が高まる。すなわち本実施形態では、書き込み装置１２３と定着装置１２８とを互いに接近させて配置する必要がなくなる。
【００６４】
また本実施形態では、画素のカウントに用いるカウンタの必要サイズ（bit数）はＮ，Ｍ及び画像データの階調（bit数）により変化する。例えば定着制御データを生成する際の１単位エリア当たりの情報量を８bit以下とした場合、画素カウント値から定着制御データを生成する際に十分な階調が得られなくなる可能性がある。
【００６５】
そこで本実施形態では、画素カウント部１５０のカウンタの最大サイズをＮ，Ｍの値及び画像データの階調に応じた最大サイズに設定されることが好ましい。また本実施形態において、Ｎ，Ｍの値と設定された画像データの階調値から画素カウント部１５０のカウンタの最大サイズが自動で設定されるようにすれば、最大サイズを設定する必要が無くなるのでパラメータが削減できる。さらに本実施形態にでは、Ｎ，Ｍが書込解像度毎に自動的に決まるようにすれば、画像データの階調の情報から最大サイズを算出して設定することが可能となる。
【００６６】
次に図２へ戻って、本実施形態の定着装置１２８について説明する。
【００６７】
本実施形態の定着装置１２８において、定着制御部１７０は、画像の位置と必要な熱量を判断し、駆動信号生成部１８１にサーマルヘッド１７２を駆動させる駆動信号を生成させる。
【００６８】
本実施形態の定着制御部１７０は、書き込み装置１２３から伝送された定着制御データをサーマルヘッド１７２の１つ分に想定されるエリア３０単位でマージする。そして本実施形態の定着制御部１７０は、定着制御データを、トナーを定着するのに必要な熱量を発生させる駆動信号を駆動信号生成部１８１に生成させる。本実施形態では、駆動信号生成部１８１は、定着制御データであるトナー付着量相当値と対応するＰＷＭデューティ（Pulse Width Modulation）をサーマルヘッド駆動部１７１へ出力する。サーマルヘッド駆動部１７１は、このＰＷＭデューティにしたがって、サーマルヘッド１７２を加熱させる。
【００６９】
本実施形態の定着制御部１７０は、例えば定着制御データであるトナー付着量相当値とＰＷＭデューティとを対応付けた図示しないテーブルを有し、このテーブルを参照してＰＷＭデューティを出力しても良い。また本実施形態の定着制御部１７０では、ＬＤ１４２により画像が形成されてから定着されるまでには時間差があるため、バッファメモリ１８０を用いてタイミング調整が行われる。
【００７０】
尚本実施形態の定着制御部１７０は、定着制御データ以外にも、例えば定着部の温度、記録紙に奪われる熱量等を考慮してサーマルヘッド１７２の駆動信号を生成することが好ましい。サーマルヘッド１７２に駆動信号が出力されると、サーマルヘッド１７２が加熱され、記録紙上に画像を定着する。
【００７１】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【００７２】
１００  画像形成装置
１２３  書き込み装置
１２８  定着装置
１４０  書き込み制御部
１４１  ＬＤ駆動部
１４２  ＬＤ
１５０  画素カウント部
１６０  定着制御データ生成部
１７０  定着制御部
１７１  サーマルヘッド駆動部
１７２  サーマルヘッド
１８０  バッファメモリ
１８１  駆動信号生成部
【先行技術文献】
【特許文献】
【００７３】
【特許文献１】特開平７−２２５５２４号公報
【図１】
2013254110.tif 000003
【図２】
2013254110.tif 000004
【図３】
2013254110.tif 000005
【図４】
2013254110.tif 000006
【図５】
2013254110.tif 000007
【図６】
2013254110.tif 000008
【図７】
2013254110.tif 000009
【図８】
2013254110.tif 000010
【図９】
2013254110.tif 000011